(57)【特許請求の範囲】
【請求項１】
着用状態において着用者の股座に対応する部分にあてがわれ、失禁時の尿が外部に漏れるのを抑えるための尿失禁者用パッドであって、
防水性を有するパッド本体布と、
前記パッド本体布に周縁部が縫着され、前記着用者の肌側からその反対側に尿を浸透させる浸透布と、
前記パッド本体布と前記浸透布との間に配置され、前記浸透布の前記反対側に縫着され、前記浸透布の前記反対側に浸透してきた尿を吸収して保水する吸収保水体とを有し、
前記吸収保水体の略中央部分には、前記着用者の股座の前後に延在するスリット部が形成されており、
前記スリット部の略中央付近において、前記吸収保水体と前記浸透布とは、当該スリットが延在する方向に沿って縫着されており、
前記浸透布の周縁部のうち、少なくとも着用状態において股刳りに相当する両縁部は、それぞれ防水性の脇布を介して前記パッド本体布に縫着されていることを特徴とする尿失禁者用パッド。
【請求項２】
前記吸収保水体は、長尺状をなしており、その長手方向に延在すると共に前記浸透布に固定される固定端と、前記固定端と反対する側に配置すると共に前記浸透布及び前記パッド本体布の双方より遊離する自由端とを有することを特徴とする請求項１に記載の尿失禁者用パッド。
【請求項３】
前記吸収保水体の前記自由端には、前記固定端に向かう方向に切り込み部が設けられていることを特徴とする請求項２に記載の尿失禁者用パッド。
【請求項４】
前記浸透布と前記吸収保水体との間には、他の吸収保水体がさらに設けられており、前記他の吸収保水体は、その全周縁にわたって前記浸透布に縫着されていることを特徴とする請求項２又は３に記載の尿失禁者用パッド。
【請求項５】
前記吸収保水体は、前記着用者の外尿道口の位置に対応する部分に配置されていることを特徴とする請求項１〜４のいずれか一項に記載の尿失禁者用パッド。
【請求項６】
前記吸収保水体は、前記浸透布の前記反対側に吊り下げ状態で略密着していることを特徴とする請求項１〜５のいずれか一項に記載の尿失禁者用パッド。
【請求項７】
前記浸透布の周縁部のうち、少なくとも着用状態において股刳りに相当する両縁部は、それぞれ防水性の脇布を介して前記パッド本体布に縫着されていることを特徴とする請求項２〜６のいずれか一項に記載の尿失禁者用パッド。
【請求項８】
前記吸収保水体の前記切込み部は、略Ｖ字状に形成されていることを特徴とする請求項３〜７のいずれか一項に記載の尿失禁者用パッド。
【請求項９】
前記吸収保水体は、多層構造であることを特徴とする請求項２〜８のいずれか一項に記載の尿失禁者用パッド。
【請求項１０】
前記吸収保水体は、２層構造をなしており、
前記吸収保水体の前記自由端において、前記２層の吸収保水体は段差を形成していることを特徴とする請求項９に記載の尿失禁者用パッド。
【請求項１１】
前記２層の吸収保水体のうち、前記パッド本体布に近い一方が他方を覆うように形成されていることを特徴とする請求項１０に記載の尿失禁者用パッド。
【請求項１２】
前記各脇布は、前記両縁部に沿う帯状をなしており、長手方向の一縁部が前記両縁部に縫着されると共に、前記一縁部よりも外側で前記パッド本体布に縫着されていることを特徴とする請求項１または７記載の尿失禁者用パッド。
【請求項１３】
前記浸透布と前記吸収保水体との縫着、前記浸透布と前記各脇布との縫着、及び前記各脇布と前記パッド本体布との縫着には、撥水性の糸が用いられていることを特徴とする請求項１または７に記載の尿失禁者用パッド。
【請求項１４】
請求項１〜１３のいずれか一項記載の尿失禁者用パッドを股部の裏側に取り付けたことを特徴とする尿失禁者用下着。
【発明の詳細な説明】
【技術分野】
【０００１】
本発明は、失禁時の尿が外部に漏れるのを抑えるための尿失禁者用パッド、及びこれを用いた尿失禁者用下着に関する。
【背景技術】
【０００２】
この種の分野の技術として、例えば特許文献１に記載された失禁用パンツがある。この従来の失禁用パンツの股部の裏側には、失禁時の尿を吸収するためのパッドが取り付けられている。このパッドは、着用者の肌側から反対側に尿を浸透させる網体と、防水加工が施された本体層と、網体と本体層との間に配置され、網体から浸透する尿を吸収する吸収層とを備えている。そして、網体及び吸収層の両側部同士は、防水シートを介して本体層に縫着されている。このような構造により、失禁時の尿がパッド内に閉じ込められ、外部への尿漏れが抑えられる。
【特許文献１】特許第２８９６６３３号公報
【発明の開示】
【発明が解決しようとする課題】
【０００３】
ところで、上述した従来の失禁用パンツでは、網体及び吸収層の両側部同士が防水シートに対して一体的に縫着されている。そのため、失禁直後の外部への尿漏れは防水シートによって抑えられるものの、一旦吸収層に吸収された尿が時間の経過とともに縫着部分を伝って、防水シートの外側に漏れ出る、いわゆる伝え漏れが生じる場合がある。このような伝え漏れが生じると、外衣が汚れて着用者の不快感を増大させてしまうおそれがある。【０００４】
本発明は上記課題の解決のためになされたもので、一旦吸収した尿の伝え漏れを防止することにより、着用時の不快感を抑えることができる尿失禁者用パッド、及びこれを用いた尿失禁者用下着を提供することを目的とする。
【課題を解決するための手段】
【０００５】
上記課題の解決のため、本発明に係る尿失禁者用パッドは、着用状態において着用者の股座に対応する部分にあてがわれ、失禁時の尿が外部に漏れるのを抑えるための尿失禁者用パッドであって、防水性を有するパッド本体布と、パッド本体布に周縁部が縫着され、着用者の肌側からその反対側に尿を浸透させる浸透布と、パッド本体布と浸透布との間に配置され、浸透布の反対側に縫着され、浸透布の反対側に浸透してきた尿を吸収して保水する吸収保水体とを有し、吸収保水体の略中央部分には、着用者の股座の前後に延在するスリット部が形成されており、スリット部の略中央付近において、吸収保水体と浸透布とは、当該スリットが延在する方向に沿って縫着されており、浸透布の周縁部のうち、少なくとも着用状態において股刳りに相当する両縁部は、それぞれ防水性の脇布を介してパッド本体布に縫着されていることを特徴としている。
【０００６】
この尿失禁者用パッドでは、吸収保水体が浸透布の反対側に縫着されており、浸透布の周縁部のうち、少なくとも着用状態において股刳りに相当する両縁部は、それぞれ防水性の脇布を介してパッド本体布に縫着されている。このような構成では、吸収保水体とパッド本体布とが直接縫着されていないので、一旦吸収保水体に吸収された尿がパッド外部に伝え漏れする経路は形成されず、失禁時の尿をパッド内に確実に閉じ込めることができる。これにより、失禁してから時間が経過した後であっても、着用者の外衣が汚れることは殆どなく、不快感を抑えることが可能となる。
【０００７】
本発明に係る尿失禁者用パッドにおいて、吸収保水体は、長尺状をなしており、その長手方向に延在すると共に浸透布に固定される固定端と、固定端と反対する側に配置すると共に浸透布及びパッド本体布の双方より遊離する自由端とを有することが好ましい。
【０００８】
本発明に係る尿失禁者用パッドでは、吸収保水体が浸透布の反対側に縫着されており、吸収保水体は、浸透布に固定される固定端と、浸透布及びパッド本体布の双方より遊離する自由端とを有する。このように自由端を設けることにより、吸収保水体は着用者の臀部の動きに追従することができる。従って、吸収保水体は、確実に浸透してきた尿を吸収することができると共に、着用時の不快感を抑制することができる。
【０００９】
本発明に係る尿失禁者用パッドにおいて、吸収保水体の自由端には、固定端に向かう方向に切り込み部が設けられていることが好ましい。この場合には、切り込み部を有する吸収保水体が着用者の臀部の丸みをフィットすると共に、着用者の臀部の動きによる尿失禁者用パッドの膨らみの発生を抑制することができる。このため、着用時の不快感を抑えて、臀部のシルエットを維持することができる。
【００１０】
本発明に係る尿失禁者用パッドにおいて、浸透布と吸収保水体との間には、他の吸収保水体がさらに設けられており、他の吸収保水体は、その全周縁にわたって浸透布に縫着されていることが好ましい。この場合には、失禁時の尿をより効果的に吸収させることができる。
【００１１】
本発明に係る尿失禁者用パッドにおいて、吸収保水体は、着用者の外尿道口の位置に対応する部分に配置されていることが好ましい。外尿道口は尿の出口となる位置であり、この位置に対応するように吸収保水体を配置することで、失禁時の尿を好適に吸収保水体に吸収させることができる。
【００１２】
本発明に係る尿失禁者用パッドにおいて、吸収保水体は、浸透布の反対側に吊り下げ状態で略密着していることが好ましい。こうすると、着用者の姿勢が変化しても失禁時の尿を好適に吸収できる。
【００１３】
本発明に係る尿失禁者用パッドにおいて、吸収保水体の略中央部分には、着用者の股座の前後に延在するスリット部が形成されていることが好ましい。これにより、失禁時の尿量が多い場合であっても、スムーズに尿を吸収保水体に吸収させることができる。
【００１４】
本発明に係る尿失禁者用パッドにおいて、浸透布の周縁部のうち、少なくとも着用状態において股刳りに相当する両縁部は、それぞれ防水性の脇布を介してパッド本体布に縫着されていることが好ましい。この場合には、吸収保水体とパッド本体布とが直接縫着されていないので、一旦吸収保水体に吸収された尿がパッド外部に伝え漏れする経路は形成されず、失禁時の尿をパッド内に確実に閉じ込めることができる。これにより、失禁してから時間が経過した後であっても、着用者の外衣が汚れることは殆どなく、不快感を抑えることが可能となる。
【００１５】
本発明に係る尿失禁者用パッドにおいて、吸収保水体の切込み部は、略Ｖ字状に形成されていることが好ましい。この場合には、略Ｖ字状に形成された切り込み部は着用者の臀部の丸みをより好適にフィットすると共に、着用者の臀部の動きによる尿失禁者用パッドの膨らみの発生を抑制し、着用時の不快感を抑えることができる。
【００１６】
本発明に係る尿失禁者用パッドにおいて、吸収保水体は、多層構造であることが好ましい。この場合には、失禁時の尿をより効果的に吸収することができる。
【００１７】
本発明に係る尿失禁者用パッドにおいて、吸収保水体は、２層構造をなしており、吸収保水体の自由端において、２層の吸収保水体は段差を形成していることが好ましい。この場合には、吸収保水体の重ねにより形成した段差を段階的に分けて、段差により発生した着用時の不快感を軽減することができる。
【００１８】
本発明に係る尿失禁者用パッドにおいて、２層の吸収保水体のうち、パッド本体布に近い一方が他方を覆うように形成されていることが好ましい。この場合には、段差により発生した着用時の不快感を軽減すると共に、尿の漏れを防止する効果を高めることができる。
【００１９】
また、各脇布は、両縁部に沿う帯状をなしており、長手方向の一縁部が両縁部に縫着されると共に、一縁部よりも外側でパッド本体布に縫着されていることが好ましい。この場合、浸透布の両縁部が脇布を介して２段構えでパッド本体布に縫着されるため、伝え漏れの経路をより確実に遮断することが可能となる。【００２０】
また、浸透布と吸収保水体との縫着、浸透布と各脇布との縫着、及び各脇布とパッド本体布との縫着には、撥水性の糸が用いられていることが好ましい。これにより、一旦吸収保水体に吸収された尿の伝え漏れをより確実に抑えられる。
【００２１】
また、吸収保水体と浸透布とは、スリット部の略中央付近であって当該スリットが延在する方向に沿って縫着されていることが好ましい。このように縫着されているので、浸透布がスリットの外縁から中央付近に向けて引っ張られ、浸透布によって断面略Ｖ字型の凹部が形成される。従って、尿はそのＶ字型断面に沿って縫着部分に導かれ、よりスムーズに吸収保水体に吸収させることができる。
【００２２】
また、本発明に係る尿失禁者用下着は、上述した尿失禁者用パッドを股部の裏側に取り付けたことを特徴としている。この尿失禁者用下着では、上述した尿失禁者用パッドを採用することによって、失禁してから時間が経過した後であっても、着用者の外衣が汚れることは殆どなく、不快感を抑えることが可能となる。
【発明の効果】
【００２３】
以上説明したように、本発明に係る尿失禁者用パッド及び尿失禁者用下着によれば、一旦吸収した尿の伝え漏れを防止できるので、着用時の不快感を抑えることが可能となる。
【図面の簡単な説明】
【００２４】
【図１】図１（ａ）は、第１実施形態に係る女性用の尿失禁者用ショーツを示す正面図であり、図１（ｂ）はその背面図である。
【図２】図２は第１実施形態に係る尿失禁者用パッドを展開して示す平面図である。
【図３】図３（ａ）は図２におけるＩＩＩ−ＩＩＩ線断面斜視図であり、図３（ｂ）は同断面図である。
【図４】図４（ａ）は第１実施形態の変形例に係る尿失禁者用パッドを示す断面図であり、図４（ｂ）は別の変形例に係る尿失禁者用パッドを示す断面図であり、図４（ｃ）は更に別の変形例に係る尿失禁者用パッドを示す断面図である。
【図５】図５は第１実施形態に係る尿失禁者用パッドの効果を説明するための図である。
【図６】図６は第１実施形態に係る尿失禁者用パッドの効果を説明するための図である。
【図７】図７は第１実施形態の変形例を示す図である。
【図８】図８は第１実施形態の変形例を示す図である。
【図９】図９は第２実施形態に係る尿失禁者用パッドを展開して示す平面図である。
【図１０】図１０（ａ）は尿失禁者用パッドの第３吸収保水体の形状を示す図であり、図１０（ｂ）は尿失禁者用パッドの第２吸収保水体の形状を示す図であり、図１０（ｃ）は尿失禁者用パッドの第２吸収保水体の形状を示す図である。
【符号の説明】
【００２５】
１，２６  尿失禁者用ショーツ
３  股部
４，３０  尿失禁者用パッド
１０  パッド本体布
１１  浸透布
１１ｃ，１１ｄ  縁部
１２  第１吸収保水体
１２ｃ，３５  スリット部
１３  脇布
１３ａ  内側の縁部（一縁部）
２０〜２４，３１，３３，３７  撥水性の糸
３２，３４  第２吸収保水体
３２ａ，３４ａ  固定端
３２ｂ，３４ｂ  自由端
３２ｅ，３４ｅ  切込み部
３６  第３吸収保水体。
【発明を実施するための最良の形態】
【００２６】
以下、図面を参照しながら、本発明に係る尿失禁者用パッド、及びこれを用いた尿失禁者用下着の好適な実施形態について詳細に説明する。なお、図面の説明において同一又は同等の構成要素には、同一符号を用いることとし、重複する説明を量略する。【００２７】
（第１実施形態）
図１の（ａ）は、第１実施形態に係る女性用の尿失禁者用ショーツを示す正面図であり、図１の（ｂ）はその背面図である。図１の（ａ）及び（ｂ）に示すように、この尿失禁者用ショーツ１は、ショーツ本体部２と、股部３と、尿失禁者用パッド（以下、単に「パッド」と記す）４とを備えている。【００２８】
ショーツ本体部２及び股部３は、例えば綿・ナイロンを主体とする布地からなり、互いに縫着されている。また、ショーツ本体部２は、背面側の中央部分で左右が縫着されて前身頃及び後身頃を構成している。また、ショーツ本体部２のウエスト部２ａには、レースなどの装飾が施されているほか、ゴムテープ（図示しない）が通されており、着用時のウエストのフィット感が確保されている。【００２９】
パッド４は、股部３の裏側に配置され、この股部３の正面側から背面側にかけての前後を覆うようにしてショーツ本体部２に縫着されている。このパッド４は、着用状態において着用者の股座に対応する部分にあてがわれ、失禁時の尿がショーツ１の外部に漏れるのを抑えるために用いられる。【００３０】
次に、図２及び図３を参照して、上述したパッド４の構成について更に詳細に説明する。図２は、パッド４を展開して示す平面図である。また、図３の（ａ）は図２におけるＩＩＩ−ＩＩＩ線断面斜視図であり、図３の（ｂ）は同断面図である。【００３１】
図２及び図３に示すように、このパッド４は、パッド本体布１０と、浸透布１１と、第１吸収保水体１２とを備えており、パッド本体布１０の上面側に浸透布１１の周縁部が縫着されて袋Ｐが形成され、この袋Ｐの内部に第１吸収保水体１２が収容されて構成されている。【００３２】
パッド本体布１０は、例えばポリエステルからなる布地により、股部３の展開形状に合わせて形成されている。すなわち、パッド本体布１０は、着用者の股座に対応する長さ寸法及び幅寸法を有しており、恥骨側に当てられる前側の縁部１０ａは凸状に湾曲して形成されていると共に、臀部側に当てられる後側の縁部１０ｂは、前側の縁部１０ａよりも大きな径で凸状に湾曲して形成されている。また、左右の縁部１０ｃ，１０ｄは、それぞれ凹状に湾曲して形成されている。【００３３】
このパッド本体布１０の上面側は、袋Ｐの裏側下面を構成しており、ポリウレタンフィルム（図示しない）がラミネートされて防水性が付与されている。また、係るラミネート加工によって防水性と同時に通気性が確保されており、着用時のムレ防止が図られている。【００３４】
浸透布１１は、例えばポリエステルを主体とし、抗菌性及び防臭性を有する繊維が混織されたメッシュ状の布地によって形成され、パッド本体布１０と略同等の形状を有している。この浸透布１１の表側は着用者の股座にあてがわれる部分であり、裏側は袋Ｐの裏側上面を構成している。この浸透布１１は、失禁時の尿を表側から裏側に一方向に浸透させる。【００３５】
この浸透布１１の周縁部のうち、前後の縁部１１ａ，１１ｂは裏側に折り返されており、撥水性の糸２０によってパッド本体布１０の前後の縁部１０ａ，１０ｂにそれぞれ縫着されている。これに対し、浸透布１１の周縁部のうち、着用状態において股刳りに相当する両縁部、すなわち、左右の縁部１１ｃ，１１ｄは裏側に折り返され、防水性の脇布１３，１３を介してパッド本体布１０の左右の縁部１０ｃ，１０ｄに縫着されている。【００３６】
より具体的には、この脇布１３，１３は、パッド本体布１０と同様の構成を有する布地によって帯状に形成され、ポリウレタンフィルムがラミネートされた面を裏側に向けた状態で、浸透布１１の左右の縁部１１ｃ，１１ｄとパッド本体布１０との間に配置されている。そして、脇布１３，１３の内側の縁部１３ａは、撥水性の糸２１によって浸透布１１の左右の縁部１１ｃ，１１ｄにおける折返し部分にそれぞれ縫着され、脇布１３，１３の外側の縁部１３ｂは、撥水性の糸２２によってパッド本体布１０の左右の縁部１０ｃ，１０ｄにそれぞれ縫着されている。なお、浸透布１１と脇布１３，１３との縫着にあたっては、撥水性の糸２１は、脇布１３の内側の縁部１３ａ及び浸透布１１の左右の縁部１１ｃ，１１ｄにおける折返し部分の先端のみを通っており、浸透布１１の表側には露出しないようになっている。【００３７】
一方、第１吸収保水体１２は、図３の（ａ）及び（ｂ）に示すように、例えば吸水アクリルを主体とする布地によって上下２層に形成され、各層１２ａ，１２ｂの厚さはそれぞれ約３ｍｍ程度となっている。また、図２に示すように、第１吸収保水体１２の前側の縁部１２ｅは、パッド本体布１０の前側の縁部１０ａと略同等の曲率で凸状に湾曲して形成されている。また、後側の縁部１２ｆは、前側の縁部１２ｅよりも大きな径で凸状に湾曲して形成されると共に、その中央部は更に大きな曲率で凸状に突出している。そして、左右の縁部１２ｇ，１２ｈは、それぞれ凹状に湾曲して形成されている。【００３８】
この第１吸収保水体１２は、約２０ｃｃ程度の保水力を有し、着用状態において着用者の外尿道口の位置に対応するようにして、袋Ｐ内に収容されている。また、第１吸収保水体１２は、パッド本体布１０には直接縫着されていないが、第１吸収保水体１２の周縁部は、全周にわたって撥水性の糸２３によって浸透布１１に縫着されている。これにより、第１吸収保水体１２は、浸透布１１の裏側に吊り下げ状態で略密着した状態となっており、袋Ｐの裏側上面に浸透する尿を吸収して保水する。【００３９】
さらに、第１吸収保水体１２における上側の層１２ａの略中央には、着用者の股座の前後に延在する略楕円形状のスリット部１２ｃが形成されている。また、このスリット部１２ｃから露出する下側の層１２ｂの略中央は、撥水性の糸２４によって浸透布１１に縫着されている。この縫着により、浸透布１１におけるスリット部１２ｃの真上の位置には、スリット部１２ｃの形状に対応して前後に延在する凹部１１ｅが形成されている。図３の（ｂ）に示すように、凹部１１ｅの断面は略Ｖ字状となっている。スリット部１２ｃと前側の縁１２ｅとの距離は例えば２ｃｍ程度であり、スリット部１２ｃと後ろ側の縁１２ｆとの距離は例えば５ｃｍ程度である。また、スリット部１２ｃの長さは６〜１２ｃｍ程度、幅は１〜２ｃｍ程度である。また第１吸収保水体１２から脇布１３までの距離は５ｍｍ以上確保されていることが好ましい。【００４０】
このような構成を有する尿失禁者用ショーツ１では、着用者が失禁した尿が、まず浸透布１１の表側（特に凹部１１ｅ）から袋Ｐの裏側上面に浸透する。次に、浸透した尿は、袋Ｐ内で浸透布１１の裏側に吊り下げられている第１吸収保水体１２によって吸収・保水される。また、第１吸収保水体１２は、尿を表側から裏側に一方向に浸透させる浸透布１１と、防水性を有するパッド本体布１０及び脇布１３，１３とによって包囲されているので、第１吸収保水体１２に保水された尿や袋Ｐ内の尿のパッド４外部への漏れ（特に横漏れ）が抑えられる。【００４１】
ここで、第１吸収保水体１２が防水性のパッド本体布１０或いは脇布１３に一体的に縫着されていると、一旦第１吸収保水体１２に吸収された尿が時間の経過とともに縫着部分を伝って、防水性のパッド本体布１０或いは脇布１３の外側に漏れ出る、いわゆる伝え漏れが生じる場合がある。【００４２】
このような伝え漏れを防止するため、尿失禁者用ショーツ１では、第１吸収保水体１２がパッド本体布１０には縫着されておらず、浸透布１１の裏側に吊り下げ状態で縫着されている。また、浸透布１１の左右の縁部１１ｃ，１１ｄは、防水性の脇布１３，１３を介して２段構えでパッド本体布１０の左右の縁部１０ｃ，１０ｄにそれぞれ縫着されている。このような構造により、一旦第１吸収保水体１２に吸収された尿が外部に伝え漏れする経路は形成されず、失禁時の尿をパッド４内に確実に閉じ込めることができる。これにより、失禁してから時間が経過した後であっても、着用者の外衣が汚れることは殆どなく、不快感を抑えることが可能となる。【００４３】
しかも、本実施形態では、パッド本体布１０と浸透布１１との縫着、浸透布１１と第１吸収保水体１２との縫着、浸透布１１と脇布１３との縫着、及び脇布１３とパッド本体布１０との縫着には、撥水性の糸２０〜２４がそれぞれ用いられており、一旦第１吸収保水体１２に吸収された尿の伝え漏れがより確実に抑えられる。特に、第１吸収保水体１２に近い浸透布１１と脇布１３，１３との縫着部分では、撥水性の糸２１が浸透布１１の表側に露出しないようになっているので、伝え漏れの経路が効果的に遮断されている。【００４４】
また、尿失禁者用ショーツ１では、第１吸収保水体１２が着用者の外尿道口の位置に対応する部分に配置されると共に、浸透布１１の裏側に吊り下げ状態で縫着されている。外尿道口は、尿の出口となる位置であり、この位置に対応するように第１吸収保水体１２を配置することで、失禁時の尿を好適に第１吸収保水体１２に吸収させることができる。【００４５】
また、第１吸収保水体１２を吊り下げ構造とすることで、浸透布１１の裏側に第１吸収保水体１２が密着するので、着用者の姿勢が変化しても失禁時の尿を好適に第１吸収保水体１２に吸収させることが可能となる。これらの結果、着用者のドライ感をより持続させることができる。さらには、第１吸収保水体１２の略中央部分には、着用者の股座の前後に延在するスリット部１２ｃが形成されているので、失禁時の尿量が多い場合であっても、スリット部１２ｃを通してスムーズに尿を第１吸収保水体１２に吸収させることができる。【００４６】
なお、本発明は上記実施形態に限られず、種々の変形を適用できる。例えば、浸透布１１と脇布１３との縫着に関し、図４の（ａ）に示すように、浸透布１１の左右の縁部１１ｃ，１１ｄに折り返しを設けず、脇布１３，１３の内側の縁部１３ａ，１３ａを裏側に折り返して左右の縁部１１ｃ，１１ｄの表側に重ね合わせて縫着してもよい。このとき、撥水性の糸２１は、浸透布１１の左右の縁部１１ｃ，１１ｄ及び脇布１３の内側の縁部１３ａにおける折返し部分の先端のみに通し、脇布１３，１３の表側には露出させないようにする。このような構成によっても、一旦第１吸収保水体１２に吸収された尿が外部に伝え漏れする経路は形成されず、失禁時の尿をパッド４内に確実に閉じ込めることができる。【００４７】
また、図４の（ｂ）に示すように、浸透布１１の左右の縁部１１ｃ，１１ｄを裏側に折り返し、脇布１３，１３の内側の縁部１３ａ，１３ａには折返しを設けずに左右の縁部１１ｃ，１１ｄの表側に重ね合わせ、撥水性の糸２１によって、左右の縁部１１ｃ，１１ｄの本体部分、折り返し部分、及び脇布１３，１３の内側の縁部１３ａ，１３ａを一体的に縫着してもよい。【００４８】
さらに、図４の（ｃ）に示すように、左右の縁部１１ｃ，１１ｄ及び脇布１３，１３の内側の縁部１３ａ，１３ａのいずれにも折り返し部分を設けず、左右の縁部１１ｃ，１１ｄの表側に脇布１３，１３の内側の縁部１３ａ，１３ａを重ね合わせて縫着してもよい。これらの構成によれば、浸透布１１又は脇布１３の折返し部分が股座に直接当たることがないので、着用者に対するごわつき感を低減させることが可能となる。【００４９】
パッド４の尿吸収について図５及び図６を参照しながらより具体的に説明する。図５の（ａ）は、図２のＩＩＩ−ＩＩＩ断面における、尿吸収の様子を示した図である。図５の（ｂ）は、同様の断面における比較例の尿吸収の様子を示した図である。図６は尿吸収の様子を平面的に示した図である。図６の（ａ）は尿吸収の初期段階を、（ｂ）は尿吸収の中期段階を、（ｃ）は尿吸収の終期段階をそれぞれ示している。図６においてＷ１及びＷ２はそれぞれ尿を示している。【００５０】
図５の（ａ）に示すように、まず尿は凹部１１ｅの略Ｖ字型断面における領域Ｚ１に集められる（図６の（ａ）参照）。凹部１１ｅの底部は糸２４で第１吸収保水体１２と縫着されている。より具体的には、スリット部１２ｃから臨む下側の層１２ｂの略中央付近において縫着されている。従って、領域Ｚ１に集められた尿は糸２４を伝って、第１吸収保水体１２側へと矢印Ａの方向に導かれる（図６の（ｂ）参照）。尚、糸２４としては、撥水加工を施していないレジロン糸又は綿糸を用いることがより好ましい。このような撥水加工を施していない糸を用いることで、尿の第１吸収保水体側への導入をより円滑に行うことができる。また、糸２４によって縫着する際に、ミシン針を太くすることも好ましい。ミシン針を太くすることで、糸２４の周囲に隙間を設けることができるので、尿の第１吸収保水体側への導入をより円滑に行うことができる。【００５１】
第１吸収保水体１２側へと導かれた尿は横に広がり、第１吸収保水体１２の上側の層１２ａと下側の層１２ｂとの間における領域Ｚ２に拡散する。第１吸収保水体１２の上側の層１２ａと下側の層１２ｂとは端部において撥水性の糸２３で縫着されている。従って、スリット部１２ｃ側においては、上側の層１２ａと下側の層１２ｂとは縫着されておらず、着用者の動きや尿の拡散に応じてその間隔が広がって、領域Ｚ２が確保される。領域Ｚ２に拡散した尿は、矢印Ｂ及びＣの方向に向かって第１吸収保水体１２に吸収される（図６の（ｃ）参照）。【００５２】
図５の（ｂ）に示す比較例は、浸透布１１と第１吸収保水体１２とを、スリット部１２ｃの外周に沿って糸２４ａで縫着しているものである。このように縫着すると、浸透布１１はスリット部１２ｃに沿って実質的に隙間がないように第１吸収保水体１２に密着し、断面が略Ｕ字型の凹部１１ｕが形成される。【００５３】
図５の（ｂ）に示す比較例においては、まず尿は凹部１１ｕの略Ｕ字型断面における領域Ｚ３に集められる（図６の（ａ）参照）。凹部１１ｕの底部は、その外周に沿って撥水性の糸２４ａで第１吸収保水体１２と縫着されている。従って、領域Ｚ３に集められた尿は糸２４ａを伝って第１吸収保水体１２側へと導かれるはずであるけれども、実際にはスムーズに導かれない。図６の（ｂ）に示すように、尿は凹部１１ｕにおいて帯状に広がってしまう。【００５４】
比較例において尿がスムーズに第１吸収保水体１２に導かれない原因は二つ想定される。その一つは、糸２４ａによって凹部１１ｕの底部に沿って縫着されているために、第１吸収保水体１２の上側の層１２ａと下側の層１２ｂとが略密着保持されていることである。このように構成されていることで、糸２４ａを伝って導かれた尿が上側の層１２ａと下側の層１２ｂとの間に入り込みにくくなり、結果的に第１吸収保水体１２による尿の吸収がスムーズに行われない。【００５５】
別の原因は、領域Ｚ３に集められた尿が糸２４ａを伝って第１吸収保水体１２側へと浸透する際に、実際には対向する糸２４ａの周辺に存在する尿が互いに引き合って帯状になってしまうことにある。このため、糸２４ａから第１吸収保水体１２側へと浸透する速度が遅くなり、図中矢印Ｄ及びＥのように浸透布１１を伝って徐々に第１吸収保水体１２側へと尿が導かれる。従って、図６の（ｃ）に示すように、集められる尿が凹部１１ｕの外側へと溢れ出てしまうことになる。【００５６】
上述したように本実施形態のパッド４は、その特有の構成によってスムーズに尿を吸収することができる。また、より多くの尿を吸収させるためには、第１吸収保水体１２の構成を変更することが好ましい。例えば、第１吸収保水体１２の下側の層１２ｂをより厚い層に変更することも好ましい。更に、多くの尿を吸収させるための変形例を図７及び図８に示す。【００５７】
図７に示した例は、第１吸収保水体１２の上側の層１２ａと下側の層１２ｂとの間に、中間層１２ｄを追加した例である。この追加する中間層１２ｄは、下側の層１２ｂと同様の素材で形成されていることも好ましい。また、中間層１２ｄは、下側の層１２ｂとは異なる素材で形成されていても好ましい。この場合の素材については後述する。【００５８】
図８に示した例は、第１吸収保水体１２の上側の層１２ａと下側の層１２ｂとの間に、中間層１２ｅを追加した例である。この中間層１２ｅには、上側の層１２ａのスリット部１２ｃに対応する位置にスリット部１２ｆが形成されている。この中間層１２ｅも中間層１２ｄと同様に、下側の層１２ｂと同様の素材で形成されていても好ましく、下側の層１２ｂとは異なる素材で形成されていても好ましい。この場合の素材については後述する。【００５９】
第１吸収保水体１２を構成する、上側の層１２ａ、下側の層１２ｂ、中間層１２ｄ，１２ｅの各素材は例えば次のようなものを選択することが好ましい。上側の層１２ａ及び下側の層１２ｂとしては、ポリエステル織布層、レーヨンスパンレース層、ベルオアシス不織布層、及び吸水アクリル／消臭ナイロン不織布層からなる４層構造複合品を用いることが好ましい。この場合、ポリエステル織布層は逆流軽減の役割を、レーヨンスパン層は尿拡散の役割を、ベルオアシス不織布層は保水の役割を、吸水アクリル／消臭ナイロン不織布層は保水及び消臭の役割をそれぞれ果たす。【００６０】
中間層１２ｄ，１２ｅとしては、吸水アクリル／消臭ナイロン不織布層、ベルオアシス不織布層、及び吸水アクリル／消臭ナイロン不織布層からなる３層構造複合品を用いることが好ましい。この場合、吸水アクリル／消臭ナイロン不織布層は保水及び消臭の役割を、ベルオアシス不織布層は保水の役割をそれぞれ果たす。【００６１】
（第２実施形態）
第２実施形態に係る女性用の尿失禁者用ショーツ２６（図示せず）は、ショーツ本体部２と、股部３と、尿失禁者用パッド（以下、単に「パッド」と記す）３０とを備えている。この尿失禁用ショーツ２６と第１実施形態に係る尿失禁用ショーツ１との相違点は、第１吸収保水体１２に代えて、第２吸収保水体３２，３４及び第３吸収保水体３６を用いることである。以下、この相違点を中心とする説明を行い、その他の構成については、第１実施形態と同様のため説明を省略する。【００６２】
図９は第２実施形態に係る尿失禁者用パッドを展開して示す平面図である。図１０（ａ）は尿失禁者用パッドの第３吸収保水体の形状を示す図であり、同図（ｂ）尿失禁者用パッドの第２吸収保水体の形状を示す図であり、同図（ｃ）は尿失禁者用パッドの第２吸収保水体の形状を示す図である。【００６３】
このパッド３０は、パッド本体布１０と、浸透布１１と、第２吸収保水体３２，３４と、第３吸収保水体３６とを備えている。第２吸収保水体３２，３４及び第３吸収保水体３６は、浸透布１１側からパッド本体布１０側に向かう方向に沿って、第３吸収保水体３６、第２吸収保水体３２、第２吸収保水体３４の順番に設置され、上下３層に積み重ねられている。この第２吸収保水体３２，３４及び第３吸収保水体３６の厚さはそれぞれ約３ｍｍ程度となっている。【００６４】
図９及び図１０（ａ）に示すように、第３吸収保水体３６は、長尺状をなしており、第３吸収保水体３６の略中央を通る中心線Ｃ１（図１０（ａ）参照）に対して左右対称であって、恥骨側に当てられる前側の縁部３６ａから臀部側に当てられる後側の縁部３６ｂにかけて徐々に広がるように形成されている。前側の縁部３６ａと後側の縁部３６ｂとは、それぞれ凸状に湾曲している。また、左右の縁部３６ｃ，３６ｄは、それぞれ凹状に湾曲して形成されている。【００６５】
第３吸収保水体３６は、全周縁にわたって、すなわち前側の縁部３６ａ、右の縁部３６ｄ、後側の縁部３６ｂ及び左側の縁部３６ｃに沿って、撥水性の糸３１によって浸透布１１に縫着されている。これにより、第３吸収保水体３６は、浸透布１１の裏側に吊り下げ状態で略密着した状態となっている。【００６６】
図９及び図１０（ｂ）に示すように、第２吸収保水体３４は、恥骨側から臀部側にかけて長尺状をなしており、第２吸収保水体３４の略中央を通る中心線Ｃ２（図１０（ｂ）参照）に対して左右対称に形成されている。第２吸収保水体３４は、その長手方向において、恥骨側に配置される固定端３４ａと、臀部側に配置される自由端３４ｂとを有する。固定端３４ａは、直線状に形成され、撥水性の糸３３によって第３吸収保水体３６に縫着され、第３吸収保水体３６を介して浸透布１１に固定されている。一方、自由端３４ｂは、第３吸収保水体３６に縫着されず、パッド本体布１０及び浸透布１１の双方より遊離している。【００６７】
また、自由端３４ｂには、固定端３４ａに向かう方向に切り込み部３４ｅが設けられている。この切り込み部３４ｅは、中心線Ｃ２に頂点を置き、左右対称に略Ｖ字状に形成されている。切り込み部３４ｅの両辺は、それぞれ直線状に形成されている。なお、この切込み部３４ｅの両辺は、それぞれ第２吸収保水体３４の左右の縁部３４ｃ，３４ｄに近づくように凹状に湾曲して形成されてもよい。【００６８】
第２吸収保水体３４の左右の縁部３４ｃ，３４ｄは、それぞれ中央部で直線状、両側部で第２吸収保水体３４の内部に向けて凹状に湾曲するように形成されている。第２吸収保水体３４は、上述の固定端３４ａの他、左右の縁部３４ｃ，３４ｄの中央部でさらに撥水性の糸３１によって第３吸収保水体３６に縫着されている。これにより、第２吸収保水体３４は、浸透布１１の裏側に吊り下げ状態で略密着した状態となっている。【００６９】
図９及び図１０（ｃ）に示すように、第２吸収保水体３２は、恥骨側から臀部側にかけて長尺状をなしており、第２吸収保水体３２の略中央を通る中心線Ｃ３（図１０（ｃ）参照）に対して左右対称に形成されている。第２吸収保水体３２は、その長手方向において、恥骨側に配置される固定端３２ａと、臀部側に配置される自由端３２ｂとを有する。【００７０】
固定端３２ａは、直線状に形成され、第３吸収保水体３６に縫着され、第３吸収保水体３６を介して浸透布１１に固定されている。一方、自由端３２ｂは、第３吸収保水体３６に縫着されず、パッド本体布１０及び浸透布１１の双方より遊離している。また、第２吸収保水体３２の左右の縁部３２ｃ，３２ｄは、それぞれ第２吸収保水体３２の内部に向けて凹状に湾曲して形成されている。第２吸収保水体３２の左右の縁部３２ｃ，３２ｄは、それぞれ第３吸収保水体３６の左右の縁部３６ｃ，３６ｄと略同等の曲率で形成されることが好適である。【００７１】
自由端３２ｂには、固定端３２ａに向かう方向に切り込み部３２ｅが設けられている。この切り込み部３２ｅは、中心線Ｃ３に頂点を置き、左右対称に略Ｖ字状に形成されている。切り込み部３２ｅの両辺は、それぞれ左右の縁部３２ｃ，３２ｄに近づくように凹状に湾曲して形成されている。なお、この切り込み部３４ｅの両辺は、それぞれ直線状に形成されてもよい。【００７２】
第２吸収保水体３２は、上述の固定端３２ａの他、左右の縁部３２ｃ，３２ｄで撥水性の糸３７によって第３吸収保水体３６に縫着されている。これにより、第２吸収保水体３２は、浸透布１１の裏側に吊り下げ状態で略密着した状態となっている。【００７３】
第２吸収保水体３２，３４の２層構造のうち、パッド本体布１０に近い第２吸収保水体３２が、第３吸収保水体３６に近い第２吸収保水体３４を外部から覆うように、第２吸収保水体３２は第２吸収保水体３４より長く形成されている。【００７４】
第２吸収保水体３２，３４と第３吸収保水体３６とは、約５０ｃｃ程度の保水力を有し、着用状態において着用者の外尿道口の位置に対応する部分に配置されている。また、第２吸収保水体３２，３４及び第３吸収保水体３６の略中央には、着用者の股座の前後に延在する略楕円形状のスリット部３５が形成されている。スリット部３５は、第１実施形態のスリット部１２ｃと同様な構造を有するため、重複説明を省略する。【００７５】
このような構成を有する尿失禁者用ショーツ２６によれば、上記の第1実施形態と同様な効果を得ることができる。すなわち、第２吸収保水体３２，３４と第３吸収保水体３６がパッド本体布１０には直接縫着されておらず、浸透布１１の裏側に吊り下げ状態で縫着されているため、これらの吸収保水体は浸透布１１と、パッド本体布１０及び脇布１３によって包囲される。従って、第２吸収保水体３２，３４と第３吸収保水体３６に保水された尿が外部への漏れの発生を抑えることができる。【００７６】
また、浸透布１１の左右の縁部１１ｃ，１１ｄは、防水性の脇布１３，１３を介して２段構えでパッド本体布１０の左右の縁部１０ｃ，１０ｄにそれぞれ縫着されている。このような構造により、一旦吸収保水体１２に吸収された尿が外部に伝え漏れする経路は形成されず、失禁時の尿をパッド４内に確実に閉じ込めることができる。これにより、失禁してから時間が経過した後であっても、着用者の外衣が汚れることは殆どなく、不快感を抑えることが可能となる。【００７７】
さらに、第２吸収保水体３２，３４が自由端３２ｂ，３４ｂと固定端３２ａ，３２ｂを有するので、第２吸収保水体３２，３４は着用者の臀部の動きに追従することができる。自由端３２ｂ，３４ｂには略Ｖ字状の切り込み部３２ｅ，３４ｅが設けられるため、切り込み部３２ｅ，３４ｅは着用者の臀部の丸みを好適にフィットし、着用者の臀部の動きによる尿失禁者用パッドの膨らみの発生を抑制することができる。これにより、着用時の不快感を抑える効果を高めることができると共に、臀部のシルエットを維持することができる。【００７８】
また、浸透布１１と第２吸収保水体３４との間には、第３吸収保水体３６が設けられており、この第３吸収保水体は、その全周縁にわたって前記浸透布に縫着されているので、失禁時の尿をより効果的に吸収することができる。【００７９】
本発明は、上記の実施形態に限定されるものではない。例えば、上記の第２実施形態では、尿を吸収する吸収保水体として、２層構造を有する第２吸収保水体と第３吸収保水体としたが、単層構造を有する第２吸収保水体としてもよい。【００８０】
また、上述した各実施形態では、パッド４を女性用ショーツに適用して例示したが、本発明は女性用ショーツに限られず、人体にフィットする種々の股付き衣類（例えばガードル）に適用できる。また、パッド４の取り付け位置等を適宜変更することで、男性用の下着等にも適用できる。
【図１】
0004880596.tif 000002
【図２】
0004880596.tif 000003
【図３】
0004880596.tif 000004
【図４】
0004880596.tif 000005
【図５】
0004880596.tif 000006
【図６】
0004880596.tif 000007
【図７】
0004880596.tif 000008
【図８】
0004880596.tif 000009
【図９】
0004880596.tif 000010
【図１０】
0004880596.tif 000011